(57)【要約】【課題】通帳に未記帳データを印字処理する場合に、通帳処理に時間のかからない優れた自動取引装置を提供することを目的とする。【解決手段】ＣＣＤセンサ１３により通帳Ｐの印字済行３４が読取られ、その後印字済行数と印字すべき行数を求め、印字済行に続けて取引情報を印字した場合の仮想最終印字行が印字ヘッド２５の直下に来るように、通帳Ｐを搬送する。そしてこの仮想最終印字行から印字を開始し、先頭行に向けて印字していく。【選択図】  図３
2009020628.tif 000002
【特許請求の範囲】
【請求項１】
読取手段により通帳の印字済行を読取り、前記読取手段より装置奥側に配設された印字ヘッドにより前記印字済行に続けて未記帳の取引情報を印字する通帳取扱装置を内蔵する自動取引装置において、
前記印字済行に続けて前記未記帳の取引情報を印字した場合の仮想最終印字行目を算出する算出手段を設け、
前記算出手段により算出した前記仮想最終印字行目が、前記読取手段により前記印字済行を読取った時点における通帳位置から、前記印字ヘッドに対向する位置にくるまで通帳を搬送し、
前記印字ヘッドにより前記仮想最終印字行目から前記印字済行に向けて前記未記帳の取引情報を印字することを特徴とする自動取引装置。
【請求項２】
前記印字すべき取引情報は複数有り、前記算出手段は、前記印字済行に続けて複数の前記取引情報を印字した場合の前記仮想最終印字行を算出する請求項１記載の自動取引装置。
【請求項３】
前記読取手段は、通帳の見開き頁の全ての印字行を読取った後、前記印字済行を確定する請求項１または２記載の自動取引装置。
【請求項４】
読取手段により通帳の印字済行を読取り、前記読取手段より装置奥側に配設された印字ヘッドにより前記印字済行に続けて未記帳の取引情報を印字する通帳取扱装置を内蔵する自動取引装置において、
前記読取手段が前記印字済行から所定印字行読取った時点において前記印字済行を確定し、
確定した前記印字済行に続けて前記取引情報を印字した場合の仮想最終印字行目を算出する算出手段を設け、
前記算出手段により算出した前記仮想最終印字行目が、前記読取手段が前記印字済行から前記所定印字行を通過した時点における通帳位置から、前記印字ヘッドに対向する位置まで通帳を搬送し、
前記印字ヘッドにより前記仮想最終印字行目から前記印字済行に向けて前記取引情報を印字することを特徴とする自動取引装置。
【請求項５】
読取手段により通帳の印字済行を読取り、前記読取手段より装置奥側に配設された印字ヘッドにより前記印字済行に続けて未記帳の取引情報を印字する通帳取扱装置を内蔵する自動取引装置において、
前記読取手段が前記印字済行から所定印字行読取った時点において前記印字済行を確定し、
前記所定印字行を、前記読取手段と前記印字手段との間の距離より短くなるように設定し、
未記帳の最初の行が、前記読取手段が前記印字済行から前記所定印字行を通過した時点における通帳位置から、前記印字ヘッドに対向する位置まで通帳を搬送し、
前記印字ヘッドにより未記帳の最初の行から前記取引情報を印字することを特徴とする自動取引装置。
【発明の詳細な説明】
【技術分野】
【０００１】
本発明は、金融機関で使用される通帳に未記帳の取引データを印字する通帳取扱装置を内蔵する自動取引装置に関し、特に短時間で通帳に未記帳の取引データを印字する自動取引装置に関する。
【背景技術】
【０００２】
従来、金融機関等で使用される自動取引装置には、通帳に取引情報を印字する通帳取扱装置が内蔵されている。印字される取引情報は、現在行っている取引の情報および過去に行った取引の未記帳情報である。このような通帳取扱装置における取引情報の印字動作について図を用いて説明する。図７は従来の通帳取扱装置における印字動作を示す動作説明図である。
【０００３】
図７において、装置の挿入口１に連続して通帳Ｐを搬送するための搬送路２が設けられている。搬送路２に沿って、通帳Ｐに設けられている図示しない磁気ストライプに対して情報を読み書きを行う磁気ヘッド３と、通帳Ｐに印刷されている頁マークおよび印字済行を読み取るためのＣＣＤセンサ４と通帳Ｐに取引情報を印刷する印字ヘッド５が設けられている。印字ヘッド５はＣＣＤセンサ４より装置奥側（図における左側）に設けられている。通帳Ｐは見開き状態で搬送され、図においては最終印字行の頁が開かれている。符号６は見開き頁における印字済行を示す。最終の記帳以降の取引情報は、この印字済行に引き続いて印字される。
【０００４】
顧客が挿入口１から通帳Ｐを挿入すると、図示しないモータにより通帳Ｐは搬送路２上に吸入される。引き込まれた通帳Ｐは磁気ストライプが磁気ヘッド３に対向する位置で停止する。この位置は図７（ａ）で示す位置である。この位置で磁気ヘッド３を移動させ、磁気ストライプのデータを読取る。磁気ヘッド３は装置の電源オン時に原点出しした位置から搬送路２に直交する方向に移動して磁気データを読取る。
【０００５】
通帳Ｐの磁気ストライプデータが、例えば、事前に何らかの磁性体により消去されていると、口座番号等の確認ができず、その後の未記帳データの印字ができないので、通帳Ｐを挿入口１へ搬送し、顧客に返却する。通帳Ｐの磁気ストライプデータが正常に読取られると、通帳Ｐは装置の奥側（図における左側）へ搬送され、ＣＣＤセンサ４の下方に位置づけられる。
【０００６】
ＣＣＤセンサ４は、装置の電源オン時に原点出しを行った位置から搬送路２に直交する方向に所定の位置まで移動する。所定の位置とは、通帳Ｐの見開き頁に印刷されている頁マークに対向する位置である。通帳Ｐの見開き頁には頁マークのほかに取引データが印字されており、ＣＣＤセンサ４が取引データの印字済行を読取ることにより未記帳データの印字開始位置を決定する。
【０００７】
ＣＣＤセンサ４が頁マークに対向する位置に位置づけられると、通帳Ｐを搬送させながら頁マークおよび印字済行をＣＣＤセンサ４で読取る。ここでの読取り動作では、通帳Ｐは、図７（ｂ）に示すように、後端部がＣＣＤセンサ４を通り過ぎるまで搬送される。ＣＣＤセンサ４による頁マークおよび印字済行の読み取り結果の正当性の確認を行った後、読取った印字済行の次の行が印字ヘッド５に対向する位置になるように、図７（ｃ）に示すように、通帳Ｐを搬送する。ここで印字済行６が印字ヘッド５に対向する位置を通過していた場合には、矢印で示すように、通帳Ｐは挿入口１方向へ戻されることになる。
【０００８】
次に印字ヘッド５は、装置の電源オン時に原点出しした位置から搬送路２に直交する方向に移動して、上位装置から送られた未記帳データを印字する。印字に伴って通帳Ｐは装置奥側へ搬送される。未記帳データが全て印字し終わったときの通帳Ｐの位置を図７（ｄ）に示す。符号７は今回新たに印字された印字行を示す。次にこの位置から通帳Ｐを挿入口２方向へ搬送し、磁気ストライプが磁気ヘッド３に対向する位置で停止し（図７（ｅ）に示す位置）、磁気ヘッド３で磁気ストライプデータを更新し、これが終了すると、通帳Ｐを挿入口１から排出して顧客に返却する。
【０００９】
以上のように未記帳データを印字済行のすぐ後から印字開始する装置は、例えば、特開  
【００１０】
参照）に開示されている。
【特許文献１】特開平７−２７２０６０号公報
【発明の開示】
【発明が解決しようとする課題】
【００１１】
しかしながら従来の通帳取扱装置においては、ＣＣＤセンサが通帳の印字済行の読取りを終了した際に、印字済行の最終行が印字ヘッドに対向する位置を通過していた場合、未記帳データの印字開始位置を印字ヘッドに対向する位置に位置づけるために通帳を一旦戻す方向に搬送し、その後通帳を装置奥側へ搬送して印字を行っている。そのために通帳処理に費やす時間が多くかかるという問題があった。
【００１２】
ＣＣＤセンサと印字ヘッドとの間の距離が、例えば通帳の搬送方向の長さよりも長い場合には通帳を戻すことはないが、昨今の装置は小型化が要求され、ＣＣＤセンサと印字ヘッドとの間の距離は可能な限り小さく設定されている。その結果、ＣＣＤセンサが通帳の印字済行の読取りを終了した際に、印字済行の最終行が印字ヘッドを通過する場合が多くなる。またＣＣＤセンサと印字ヘッドとの間の距離を大きくとると、通帳の戻し搬送はなくなるが、装置の大型化という問題を別にしても、搬送に時間がかかる点では問題解決にはつながらない。
【００１３】
そこで本発明は、通帳に未記帳データを印字処理する場合に、通帳処理に時間のかからない優れた通帳取扱装置を提供することを目的とする。
【課題を解決するための手段】
【００１４】
上記課題を解決するために第１の発明は、読取手段により通帳の印字済行を読取り、前記読取手段より装置奥側に配設された印字ヘッドにより前記印字済行に続けて未記帳の取引情報を印字する通帳取扱装置を内蔵する自動取引装置において、前記印字済行に続けて前記未記帳の取引情報を印字した場合の仮想最終印字行目を算出する算出手段を設け、前記算出手段により算出した前記仮想最終印字行目が、前記読取手段により前記印字済行を読取った時点における通帳位置から、前記印字ヘッドに対向する位置にくるまで通帳を搬送し、前記印字ヘッドにより前記仮想最終印字行目から前記印字済行に向けて前記未記帳の取引情報を印字することを特徴とするものである。
【００１５】
また第２の発明は、読取手段により通帳の印字済行を読取り、前記読取手段より装置奥側に配設された印字ヘッドにより前記印字済行に続けて未記帳の取引情報を印字する通帳取扱装置を内蔵する自動取引装置において、前記読取手段が前記印字済行から所定印字行読取った時点において前記印字済行を確定し、確定した前記印字済行に続けて前記取引情報を印字した場合の仮想最終印字行目を算出する算出手段を設け、前記算出手段により算出した前記仮想最終印字行目が、前記読取手段が前記印字済行から前記所定印字行を通過した時点における通帳位置から、前記印字ヘッドに対向する位置にくるまで通帳を搬送し、前記印字ヘッドにより前記仮想最終印字行目から前記印字済行に向けて前記取引情報を印字することを特徴とするものである。
【発明の効果】
【００１６】
上記構成を有する第１の発明によれば、読取手段により印字済行を読取った時点における通帳位置から、算出手段により算出した仮想最終印字行目に印字ヘッドが対向する位置まで通帳を搬送し、印字ヘッドにより仮想最終印字行から印字済行に向けて取引情報を印字するようにしたので、最小限の通帳の搬送で印字を行うことができ、通帳処理に時間のかからない優れた自動取引装置を実現できる。
【００１７】
第２の発明に拠れば、読取手段が印字済行から所定印字行読取った時点において印字済行を確定し、算出手段により算出した、取引情報を印字した場合の仮想最終印字行目が、印字ヘッドに対向する位置にくるまで通帳を搬送し、印字ヘッドにより仮想最終印字行目から印字済行に向けて取引情報を印字するようにしたので、最小限の通帳の搬送で印字を行うことができ、通帳処理に時間のかからない優れた自動取引装置を実現できる。
【発明を実施するための最良の形態】
【００１８】
以下、本発明の実施の形態を図面にしたがって説明する。各図面に共通する要素には同一の符号を付す。図１は本発明の第１の実施の形態における通帳取扱装置を示す構成図、図８は本発明の各実施の形態が適用される自動取引装置を示す概観斜視図、図９は自動取引装置の構成を示すブロック図である。まず図８、図９にしたがって自動取引装置の概要について説明する。
【００１９】
図８において、自動取引装置４１には、カード挿入口４２、通帳挿入口４３、紙幣投入排出口４４、硬貨投入排出口４５、顧客操作表示部４６などが具備されている。カード挿入口４２は顧客のカードが挿入されるとともに、排出される部分で、後述するカードリーダ部および明細票印字部に接続されている。通帳挿入口４３は顧客の通帳が挿入されるとともに、排出される部分で、後述する通帳記帳部に接続されている。
【００２０】
紙幣投入排出口４４は、入金紙幣が投入されるとともに出金紙幣が排出される部分で、後述する紙幣入出金部に接続されている。硬貨投入排出部４５は、入金硬貨が投入されるとともに出金硬貨が排出される部分で、硬貨入出金部に接続されている。顧客操作表示部４６は、上述のように、タッチパネル型液晶表示装置からなり、顧客に対して案内画面を表示する。案内画面として取引選択画面、暗証番号入力画面、金額入力画面などが表示される。
【００２１】
図９において、自動取引装置４１には、カード処理部４７、音声案内部４８、通帳処理部４９、明細票処理部５０、紙幣入出金部５１、硬貨入出金部５２、接客部５３が設けられ、それぞれ主制御部５４に接続され、主制御部５４はこれらの各部を制御する。
【００２２】
カード処理部４７は、挿入された顧客のカードの磁気情報を読取るとともに、更新された磁気情報をカードに書き込む。音声案内部４８は顧客に対する操作ガイダンス等を音声で出力する。通帳処理部４９は、以下に詳述する通帳取扱装置を構成するもので、顧客の通帳に対して取引内容を印字する。明細票処理部５０は、取引内容を明細票に印字する。紙幣入出金部５１は、顧客の要求に応じて紙幣の入出金処理を行い、同様に硬貨入出金部５２は、顧客の要求に応じて硬貨の入出金処理を行う。
【００２３】
接客部５３は、顧客に対して案内画面を表示するとともに顧客による入力を可能にするタッチパネル型液晶表示装置からなる顧客操作表示部（ＬＣＤ）を有する。主制御部５４にはまた電源部５５、メモリ部５６およびインタフェース部５７が接続されている。電源部５５は上記の各部に必要な電源を供給する。インタフェース部５７は図示しない上位装置との間の通信制御を行う。
【００２４】
次に通帳処理部である通帳取扱装置について説明する。図１において、第１の実施の形態の通帳取扱装置１１には、磁気ストライプリードライトユニット１２、ＣＣＤセンサ（読取手段）１３、プリンタユニット１４、ターンページユニット１５、通帳取込箱１６、通帳一時保留部１７、通帳スタッカ１８および制御部１９が設けられている。
【００２５】
磁気ストライプリードライトユニット１２には、通帳が挿入／排出される挿入口２１、通帳が搬送される搬送路２２（なお搬送路２２は各ユニットを貫通して設けられている）、搬送路２２に沿って設けられた搬送ローラ２３、通帳の磁気ストライプに対して磁気データを読取ったり書き込んだりする磁気ヘッド２４が設けられている。
【００２６】
ＣＣＤセンサ１３は、通帳の中紙に印刷された頁マークや印字済行を読取る。プリンタユニット１４は通帳に未記帳の取引データを印字するもので、印字ヘッド２５およびプラテン２６を具備している。印字ヘッド２５は搬送路２２に直交する方向、即ち、紙面に対して鉛直方向に移動可能となっている。
【００２７】
ターンページユニット１５は通帳の頁捲りを自動的に行うもので、頁捲りローラを有する。通帳取込箱１６は、取引が終了して挿入口２１に排出した通帳を顧客が取り忘れた場合に、その通帳を取り込んで保留しておくものである。また通帳一時保留部１７は、通帳繰越が発生した場合に、新しい通帳の発行を行うまでの間、古い通帳を一時的に保留しておくものである。通帳スタッカ１８は新たに発行する通帳を複数冊収納しておき、発行指示があると１冊繰出す。
【００２８】
制御部１９は、通帳の走行を制御したり、磁気ストライプリードライトユニット１２で書込みするデータの編集や読取ったデータの解析等を行ったり、読み取りユニット１３で読取ったデータの解析、またプリンタユニット１４で印字するデータの編集等を行う。また制御部１９は、通帳の搬送制御、即ち、通帳の現在位置の検出および通帳搬送量の制御等を行う。
【００２９】
図２は通帳を示す斜視図である。図２において、通帳Ｐの中紙３０には頁マーク３１が印刷されており、頁マーク３１の下段側には取引情報の日付３２が印字されている。ＣＣＤセンサ１３でこの日付３２の印字を読取ることにより、印字済行を検出する。通帳Ｐの裏表紙の端部には、磁気情報が書き込まれる磁気ストライプ３３が設けられている。
【００３０】
次に図３、図４にしたがって第１の実施の形態の動作を説明する。図３は第１の実施の形態の通帳記帳動作を示す動作説明図、図４は第１の実施の形態の動作を示すフローチャートである。図３において、装置の挿入口２１に連続して通帳Ｐを搬送するための搬送路２２が設けられている。搬送路２２に沿って、通帳Ｐの磁気ストライプ３３に対して情報の読み書きを行う磁気ヘッド２４と、通帳Ｐの頁マーク３１および印字済の日付３２を読み取るためのＣＣＤセンサ１３と通帳Ｐに取引情報を印刷する印字ヘッド２５が設けられている。印字ヘッド２５はＣＣＤセンサ１３より装置奥側（図における左側）に設けられ、印字ヘッド２５とＣＣＤセンサ１３との間隔は最小限に設定され、少なくとも通帳Ｐの搬送方向の長さよりは短く設定されている。通帳Ｐは見開き状態で搬送され、符号３４は見開き頁における印字済行を示す。最終の記帳以降の取引情報は、この印字済行に引き続いて印字される。
【００３１】
顧客が挿入口２１から通帳Ｐを挿入すると（ステップ１）、図示しない検出センサにより挿入が検出され、図示しないモータにより通帳Ｐは搬送路２２上に吸入される（ステップ２）。吸入された通帳Ｐは磁気ストライプ３３が磁気ヘッド２４に対向する位置で停止する。この位置は図３（ａ）で示す位置である。この位置で磁気ヘッド２４を、搬送路２２に直交する方向に移動させ、磁気ストライプ３３のデータを読取る（ステップ３）。
【００３２】
制御部１９は読取られた磁気ストライプデータが正常かどうか判定する（ステップ４）。通帳Ｐの磁気ストライプデータが、例えば、事前に何らかの磁性体により消去されていると、口座番号等の確認ができないので、その後の未記帳データの印字ができず、通帳Ｐを挿入口２１へ搬送し、顧客に返却する（ステップ５）。また通帳Ｐの磁気ストライプデータが正常に読取られた場合には、通帳Ｐは装置の奥側（図における左側）へ搬送され、ＣＣＤセンサ１３の下方に位置づけられる（ステップ６）。
【００３３】
ＣＣＤセンサ１３は、搬送路２２に直交する方向に所定の位置まで移動する。所定の位置とは、通帳Ｐの見開きの中紙３０に印刷されている頁マーク３１に対向する位置である。ＣＣＤセンサ１３が頁マーク３１に対向する位置に位置づけられると、通帳Ｐを搬送させながら頁マーク３１および印字された取引情報の日付（印字済行）３２をＣＣＤセンサ１３で読取る（ステップ７）。
【００３４】
ここでの読取り動作では、通帳Ｐは、図３（ｂ）に示すように、後端部がＣＣＤセンサ１３を通り過ぎるまで搬送される。即ち、通帳Ｐの見開き頁のすべての日付欄を読取るまで搬送される。制御部１９は、ＣＣＤセンサ１３による頁マーク３１および印字済行３４の読み取り結果の正当性の確認を行う（ステップ８）。ここで例えば、読取った印字済行３４の次の行がなかった場合、通帳Ｐはターンページユニット１５へ搬送され、ここで頁捲りが行われ（ステップ９）、ステップ６へ戻る。
【００３５】
読取った印字済行３４の次に未印字の行がある場合、制御部１９は印字済行３４の行数ｎを求め、さらにこれから印字を行う未記帳データの印字行数ｇを求める（ステップ１０）。印字済行数ｎはＣＣＤセンサ１３が読取った印字済の日付３２の数を計数することにより求める。また未記帳データの印字行数ｇについては、以下のように求める。
【００３６】
制御部１９は図示しない上位装置から未記帳の取引データを１行印字分ごとに受け取るが、制御部１９には少なくとも１頁分の取引データを格納できるデータバッファを備えている。制御部１９は上位装置から送られた全ての取引データをデータバッファに格納し、その取引データから印字すべき行数ｇを求める。またこのとき制御部１９は、印字ヘッド２５に対向する位置に何行目ｍが位置しているかを求める。これはステップ７の読取り動作で通帳Ｐを搬送する距離が所定距離であることにより算出できる。
【００３７】
ここで制御部１９は、挿入前に通帳Ｐに既に印字されていた印字済行３４に続けて未記帳の取引データを印字した場合に、1頁を超えるか否かを判断する（ステップ１１）。未記帳の取引データの印字行数ｇが、印字済行数ｎを含めても1頁を超えない場合は、未記帳の印字行数ｇを印字した場合の最終印字行目（仮想最終印字行目）ｄを求める（ステップ１２）。最終印字行目ｄは、ｄ＝（ｎ＋ｇ）で求めることができる。
【００３８】
次に、図３（ｃ）に示すように、未記帳の仮想印字行３５の最終行目ｄが印字ヘッド２５に対向する位置に来るように、通帳Ｐを搬送する（ステップ１３）。この場合の通帳Ｐの搬送距離ｓは、ｓ＝（ｍ−ｎ−ｇ）で求めることができる。ここでｓの値が正の数になる場合は、仮想印字行３５の最終行目ｄが印字ヘッド２５に対向する位置より装置奥側に位置する場合であるが、通帳Ｐを挿入口２１側（図３における右側）に搬送し、また負の数になる場合は、仮想印字行３５の最終行目ｄが印字ヘッド２５に対向する位置より挿入口２１側に位置する場合であるが、通帳Ｐを装置奥側（図３における左側）に搬送する。図３（ｃ）は通帳Ｐを右側に搬送した例を示す。
【００３９】
次に未記帳データの印字を開始する（ステップ１４）。この場合、通帳Ｐを挿入口２１方向へ移動させながら印字を行い、未記帳データは日付の遅いものから順に印字を行う。図３（ｄ）は印字が終了した時点の通帳Ｐの位置を示す。符号３６はステップ１５で印字した印字行を示す。この後この位置から通帳Ｐを挿入口２１方向へ搬送し、磁気ストライプが磁気ヘッド２４に対向する位置で停止し（図３（ｅ）に示す位置）、磁気ヘッド２４で磁気ストライプデータを更新し（ステップ１５）、これが終了すると、通帳Ｐを挿入口２１へ排出し、顧客に返却する（ステップ１６）。
【００４０】
図３（ｆ）は、ＣＣＤセンサ１３で印字済行３４を読取った時点において、印字済行３４の最終行が印字ヘッド２５に対向する位置より挿入口２１側に位置している場合を示す。この場合にも本実施の形態においては、図３（ｇ）に示すように、未記帳の印字行数ｇを印字した場合の最終印字済行目が印字ヘッド２５に対向する位置になるように通帳Ｐを搬送し、この仮想最終印字行目から印字を開始する。この場合には、印字済行３４の最終行の次の行から印字を開始しても通帳処理に要する時間は変わらないが、印字済行３４を読取った時点における印字済行３４の最終行の位置の如何に拘らず、仮想最終印字行目から印字を開始するという本実施の形態のやり方によれば、印字時における通帳Ｐの搬送制御が簡単になる効果がある。
【００４１】
ステップ１１において、未記帳データが、印字済行を含めると２頁以上に亘る場合は、印字済行３４の最終行の次の行が印字ヘッド２５に対向する位置に来るように、通帳Ｐを搬送する（ステップ１７）。次に未記帳データの印字を開始する（ステップ１８）。この場合、通帳Ｐを装置奥側（図３における左側）方向へ移動させながら印字を行い、未記帳データは日付の早いものから順に印字を行う。印字が終了すると、通帳Ｐはターンページユニット１５へ搬送され、ここで頁捲りが行われ（ステップ１９）、ステップ６へ戻る。
【００４２】
この場合、仮想最終印字行目から印字を開始しない。仮想最終印字行目から印字を開始すると余分な搬送が発生し、通帳Ｐを、印字ヘッド２５より装置奥側（図３における左側）にあるターンページユニット１５へ搬送するまでに時間がかかるからである。
【００４３】
以上のように第１の実施の形態によれば、印字済行３４を読取った時点で、未記帳データを印字した場合の仮想最終印字行目を求め、その仮想最終印字行目が印字ヘッドに対向する位置にくるように通帳Ｐを搬送し、その仮想最終印字行目から印字を開始するようにしたので、通帳Ｐの戻し搬送がなくすことができ、通帳処理に要する時間を短縮することが可能になり、顧客にとっては取引時間の短縮につながることから待ち時間の短縮となり、使い勝手のよい装置を提供することができる。
【００４４】
上記実施の形態では上位装置から送信される未記帳の取引データを制御部１９内のデータバッファにプールし、プールした取引データから、未記帳データを印字した場合の印字行数を求めているが、上位装置から未記帳データの印字行数の情報を受信する場合にはデータバッファは必要はない。
【００４５】
また上位装置から送信される取引データをデータバッファにプールする場合、取引データをプールした時点で制御部１９から印字済レスポンスを上位装置に返信するようにすることにより、上位装置から見ると、上位装置から１行分ずつ送信される場合に印字済レスポンスを返信する場合と同様のインタフェースにすることができる。
【００４６】
また上記実施の形態では、印字指示が１回だけ来た場合について通帳Ｐを印字位置へ位置づける例を説明したが、印字指示が複数回来た場合は、各印字指示における印字行数をそれぞれｇ１行、ｇ２行、ｇ３行、ｇ４行、・・・とすると、印字以外のコマンドが来るまでの総印字行数Ｇを、Ｇ＝ｇ１行＋ｇ２行＋ｇ３行＋ｇ４行＋・・・として求める。そしてこの総印字行数Ｇを、上記実施の形態で説明した未記帳の印字行数ｇとして印字位置決めを行う。
【００４７】
このようにすれば、複数回の未記帳の取引データが送られてきた場合でも、最小限の通帳Ｐの搬送で取引データを印字することが可能になり、通帳処理時間の短縮を実現することができる。
【００４８】
次に第２の実施の形態を説明する。第２の実施の形態の自動取引装置および通帳取扱装置の機構的構成は図８、図９および図１に示す第１の実施の形態と同様である。ここでは第２の実施の形態の通帳記帳動作を図５および図６に従って説明する。図５は第２の実施の形態の通帳記帳動作を示す動作説明図、図６は第２の実施の形態の動作を示すフローチャートである。なお説明に当たっては第１の実施の形態で使用した各要素を流用して説明する。
【００４９】
図５において、顧客が挿入口２１から通帳Ｐを挿入すると（ステップ３１）、図示しない検出センサにより挿入が検出され、図示しないモータにより通帳Ｐは搬送路２２上に吸入される（ステップ３２）。吸入された通帳Ｐは磁気ストライプ３３が磁気ヘッド２４に対向する位置で停止する。この位置は図５（ａ）で示す位置である。この位置で磁気ヘッド２４を、搬送路２２に直交する方向に移動させ、磁気ストライプ３３のデータを読取る（ステップ３３）。
【００５０】
制御部１９は読取られた磁気ストライプデータが正常がどうか判定する（ステップ３４）。通帳Ｐの磁気ストライプデータが、例えば、事前に何らかの磁性体により消去されていると、口座番号等の確認ができないので、その後の未記帳データの印字ができず、通帳Ｐを挿入口２１へ搬送し、顧客に返却する（ステップ３５）。また通帳Ｐの磁気ストライプデータが正常に読取られた場合は、通帳Ｐは装置の奥側（図における左側）へ搬送され、ＣＣＤセンサ１３の下方に位置づけられる（ステップ３６）。
【００５１】
ＣＣＤセンサ１３は、搬送路２２に直交する方向に所定の位置まで移動する。所定の位置とは、通帳Ｐの見開きの中紙３０に印刷されている頁マーク３１に対向する位置である。ＣＣＤセンサ１３が頁マーク３１に対向する位置に位置づけられると、通帳Ｐを搬送させながら頁マーク３１および印字された取引情報の日付（印字済行）３２をＣＣＤセンサ１３で読取る（ステップ３７）。
【００５２】
ここでの読取り動作では、通帳Ｐは、図５（ｂ）に示すように、印字済行３４がＣＣＤセンサ１３を通り過ぎて、さらに所定印字行ｕだけ搬送された位置で搬送が停止される（ステップ３８）。この場合の所定印字行ｕは、例えば２印字行である。制御部１９は、印字済行３４を検出した後、この所定印字行ｕを搬送する間に印字を検出しない場合には、これ以降に印字済行はないものと判断する。なお所定印字行ｕは勿論２印字行に限らず、もっと長い距離にしてもよいが、ＣＣＤセンサ１３と印字ヘッド２５との間の距離ｗより短くすることが望ましい。図５（ｂ）に示す位置においては、印字済行３４の次の行は、印字ヘッド２５より挿入口２１側に位置している。
【００５３】
制御部１９は、ＣＣＤセンサ１３による頁マーク３１および印字済行３４の読み取り結果の正当性の確認を行う（ステップ３９）。ここで例えば、読取った印字済行の次の行がなかった場合、通帳Ｐはターンページユニット１５へ搬送され、ここで頁捲りが行われ（ステップ４０）、ステップ３６へ戻る。
【００５４】
読取った印字済行の次に未印字の行がある場合、制御部１９は印字済行３４の行数ｎを求め、さらにこれから印字を行う未記帳データの印字行数ｇを求める（ステップ４１）。印字済行数ｎはＣＣＤセンサ１３が読取った印字済の日付３２の数を計数することにより求める。また未記帳データの印字行数ｇの求め方については、第１の実施の形態で説明した通りである。またこのとき制御部１９は、印字ヘッド２５とＣＣＤセンサ１３との間の距離ｗを求める。これは予め設定されている既知の距離である。
【００５５】
ここで制御部１９は、印字済行３４に続けて未記帳の取引データを印字した場合に、1頁を超えるか否かを判断する（ステップ４２）。未記帳の取引データの印字行数ｇが、印字済行数ｎを含めても1頁を超えない場合は、図５（ｃ）に示すように、未記帳の印字行の最終行目（仮想最終印字行目）が印字ヘッド２５に対向する位置に来るように、通帳Ｐを搬送する（ステップ４３）。この場合の通帳Ｐの搬送距離ｒは、未記帳の印字行数ｇと上述した所定印字行ｕから、ｒ＝（ｇ−ｕ）で求めることができる。この場合、ｒが正の数の場合は通帳Ｐは左方向へ搬送し、ｒが負の数の場合は通帳Ｐは右方向へ搬送する。
【００５６】
次に未記帳データの印字を開始する（ステップ４４）。この場合、通帳Ｐを挿入口２１方向へ移動させながら印字を行い、未記帳データは日付の遅いものから順に印字を行う。図５（ｄ）は印字が終了した時点の通帳Ｐの位置を示す。符号３６はステップ４４で印字した印字行を示す。この後この位置から通帳Ｐを挿入口２１方向へ搬送し、磁気ストライプが磁気ヘッド２４に対向する位置で停止し（図５（ｅ）に示す位置）、磁気ヘッド２４で磁気ストライプデータを更新し（ステップ４５）、これが終了すると、通帳Ｐを挿入口２１へ排出し、顧客に返却する（ステップ４６）。
【００５７】
ステップ４２において、未記帳データが、印字済行を含めると２頁以上に亘る場合は、印字済の最終行の次の行が印字ヘッド２５に対向する位置に来るように、通帳Ｐを搬送する（ステップ４７）。次に未記帳データの印字を開始する（ステップ４８）。この場合、通帳Ｐを装置奥側（図５における左側）方向へ移動させながら印字を行い、未記帳データは日付の早いものから順に印字を行う。印字が終了すると、通帳Ｐは、印字ヘッド２５より図５における左側にあるターンページユニット１５へ搬送され、ここで頁捲りが行われ（ステップ４９）、ステップ３６へ戻る。
【００５８】
上記第２の実施の形態では、通帳Ｐを印字位置に位置づける際、ステップ４３において、未記帳の印字行数ｇの最終行目が印字ヘッド２５に対向する位置に来るように通帳Ｐを搬送するようにしているが、未記帳の最初の行が印字ヘッド２５より右側に位置している場合、図５（ｆ）に示すように、未記帳の印字行の最初の行を印字ヘッド２５の直下に位置づけるようにしてもよい。このようにしても上記の実施の形態と通帳Ｐの搬送量および搬送時間は変わらない。
【００５９】
この場合、所定印字行ｕと、ＣＣＤセンサ１３と印字ヘッド２５との間の距離ｗとの関係がｕ≦ｗとなるように、所定印字行ｕを設定することにより、必ず未記帳の最初の行が印字ヘッド２５より挿入口２１側に位置するようになる。このように設定することで、未記帳の最初の行を印字ヘッド２５に対向する位置に位置づけるようにし、仮想最終印字行に向かって印字するようにしてもよい。
【００６０】
以上のように第２の実施の形態によれば、第1の実施の形態と同様に、最短距離の搬送で通帳Ｐに未記帳データを印刷するようにしたので、通帳処理に要する時間を短縮することが可能になり、顧客にとっては取引時間の短縮につながることから待ち時間の短縮となり、使い勝手のよい装置を提供することができる。また第２の実施の形態では、印字済行３４の読取りを、ＣＣＤセンサ１３が印字済行３４を通過してから所定印字行ｕだけ通帳Ｐを搬送して停止させるようにしたので、通帳Ｐを戻す動作をする必要性が極力小さくなり、より短時間で通帳処理を行うことが可能になる。
【００６１】
本発明は上記各実施の形態に限定されるものではなく、種々の変形が可能である。例えば、印字済行を読取るＣＣＤセンサを挿入口に近接して設けるとともに、印字ヘッドを上記実施の形態と同程度にＣＣＤセンサから離して設け、通帳Ｐの吸入動作と印字済行の読み取り動作を同時に行い、その後の動作は上記第１の実施の形態と同様に行うことも可能である。このようにすれば、通帳Ｐを搬送する距離が短くなり、さらに処理時間の短縮につながる。
【図面の簡単な説明】
【００６２】
【図１】第１の実施の形態における通帳取扱装置を示す構成図である。
【図２】通帳を示す斜視図である。
【図３】第１の実施の形態の通帳記帳動作を示す動作説明図である。
【図４】第１の実施の形態の動作を示すフローチャートである。
【図５】第２の実施の形態の通帳記帳動作を示す動作説明図である。
【図６】第２の実施の形態の動作を示すフローチャートである。
【図７】従来の通帳記帳動作を示す動作説明図である。
【図８】本発明の各実施の形態が適用される自動取引装置を示す概観斜視図である。
【図９】自動取引装置の構成を示すブロック図である。
【符号の説明】
【００６３】
１１  通帳取扱装置
１３  ＣＣＤセンサ
１９  制御部
２１  挿入口
２２  搬送路
２４  磁気ヘッド
２５  印字ヘッド
４１  自動取引装置
【図１】
2009020628.tif 000003
【図２】
2009020628.tif 000004
【図３】
2009020628.tif 000005
【図４】
2009020628.tif 000006
【図５】
2009020628.tif 000007
【図６】
2009020628.tif 000008
【図７】
2009020628.tif 000009
【図８】
2009020628.tif 000010
【図９】
2009020628.tif 000011